(57)【要約】【課題】外観において、軽快感を向上させること。【解決手段】住宅（１）は、複数階に亘って連続して設けられた第１の外壁面（２１）と、第１の外壁面の横方向一方側に隣接して配置される箱状体（３０）とを備える。箱状体（３０）は、第１の外壁面よりも前方に位置し、透光性を有する窓部が設けられた第２の外壁面（２２）と、地面から上方に離間して位置し、第２の外壁面の下端部と交差する底面（３１）とを含み、箱状体の下方に位置する空間（６０）の前方は、屋外空間に向けて開放されている。【選択図】図１
2017115522.tif 000002
【特許請求の範囲】
【請求項１】
複数階に亘って連続して設けられた第１の外壁面と、
前記第１の外壁面の横方向一方側に隣接して配置される箱状体とを備え、
前記箱状体は、前記第１の外壁面よりも前方に位置し、透光性を有する窓部が設けられた第２の外壁面と、地面から上方に離間して位置し、前記第２の外壁面の下端部と交差する底面とを含み、
前記箱状体の下方に位置する空間の前方は、屋外空間に向けて開放されている、住宅。
【請求項２】
前記箱状体を下方から支持する支持体をさらに備え、
前記支持体は、前記第２の外壁面の位置よりも後方に配置されている、請求項１に記載の住宅。
【請求項３】
前記第１の外壁面および前記第２の外壁面の上端部から前方に突出する偏平形状の第１の庇部をさらに備え、
前記第１の庇部は、前記第２の外壁面よりも側方に突出している、請求項１または２に記載の住宅。
【請求項４】
前記第２の外壁面の略全幅に亘って設けられた窓部をさらに備え、
前記窓部の上端位置は、前記第１の庇部の下面に近接しており、
前記窓部の下端位置と前記第２の外壁面の下端位置との間の高さ寸法は、前記第１の庇部の厚み寸法と略等しい、請求項３に記載の住宅。
【請求項５】
前記第１の庇部よりも上方に位置し、かつ、前記第２の外壁面よりも後方に位置する第３の外壁面と、
前記第３の外壁面の上端部から前方に突出する偏平形状の第２の庇部とをさらに備え、
前記第２の庇部の厚み寸法は、前記第１の庇部の厚み寸法と略等しい、請求項３または４に記載の住宅。
【請求項６】
前記箱状体の下には、前記第１の外壁面よりも後方に位置する第４の外壁面をさらに備える、請求項１〜５のいずれかに記載の住宅。
【請求項７】
前記第１の外壁面には、玄関扉が設けられている、請求項１〜６のいずれかに記載の住宅。
【請求項８】
前記第１の外壁面の横方向他方側において地面から上方に延在し、前記第１の外壁面に交差する外郭側壁と、
前記第２の外壁面よりも上方かつ後方に位置する第３の外壁面と、
前記第３の外壁面の上端部から前方に突出し、前記外郭側壁の側面に交差する第３の庇部とをさらに備える、請求項１または２に記載の住宅。
【発明の詳細な説明】
【技術分野】
【０００１】
本発明は、複数階建ての住宅に関する。
【背景技術】
【０００２】
従来から、外観の意匠性を高めるために、次のような住宅が提案されている。特開２０１４−２０１９６０号公報（特許文献１）では、鉄骨造の軸組架構を有する箱状の建物本体と、建物本体の外周構面から外側に持ち出された持ち出し部とを備えた建物において、持ち出し部の帳壁と外周構面の帳壁とを連続的に配置することが開示されている。また、東側の外周構面の内側に隣接するピロティが、南北方向に延在し、建物本体の外部に対して開放されることが開示されている。
【先行技術文献】
【特許文献】
【０００３】
【特許文献１】特開２０１４−２０１９６０号公報
【発明の概要】
【発明が解決しようとする課題】
【０００４】
特許文献１の住宅において、最も手前に位置する正面の外壁面は、窓が１つもなく、１階から２階まで連続して延びている。したがって、住宅の印象としては、閉塞感が生じ、軽快感に欠けている。
【０００５】
本発明は、上記のような課題を解決するためになされたものであって、その目的は、外観において、軽快感を向上させることのできる住宅を提供することである。
【課題を解決するための手段】
【０００６】
この発明のある局面に従う住宅は、複数階に亘って連続して設けられた第１の外壁面と、第１の外壁面の横方向一方側に隣接して配置される箱状体とを備える。箱状体は、第１の外壁面よりも前方に位置し、透光性を有する窓部が設けられた第２の外壁面と、地面から上方に離間して位置し、第２の外壁面の下端部と交差する底面とを含み、箱状体の下方に位置する空間の前方は、屋外空間に向けて開放されている。
【０００７】
好ましくは、住宅は、箱状体を下方から支持する支持体をさらに備える。支持体は、第２の外壁面の位置よりも後方に配置されていることが望ましい。
【０００８】
好ましくは、住宅は、第１の外壁面および第２の外壁面の上端部から前方に突出する偏平形状の第１の庇部をさらに備える。第１の庇部は、第２の外壁面よりも側方に突出していることが望ましい。
【０００９】
好ましくは、住宅は、第２の外壁面の略全幅に亘って設けられた窓部をさらに備える。窓部の上端位置は、第１の庇部の下面に近接しており、窓部の下端位置と第２の外壁面の下端位置との間の高さ寸法は、第１の庇部の厚み寸法と略等しいことが望ましい。
【００１０】
好ましくは、住宅は、第１の庇部よりも上方に位置し、かつ、第２の外壁面よりも後方に位置する第３の外壁面と、第３の外壁面の上端部から前方に突出する偏平形状の第２の庇部とをさらに備えている。その場合、第２の庇部の厚み寸法も、第１の庇部の厚み寸法と略等しいことが望ましい。
【００１１】
箱状体の下には、第１の外壁面よりも後方に位置する第４の外壁面をさらに備えていてもよい。
【００１２】
第１の外壁面には、玄関扉が設けられていることが望ましい。
【００１３】
また、住宅は、第１の外壁面の横方向他方側において地面から上方に延在し、第１の外壁面に交差する外郭側壁と、第２の外壁面よりも上方かつ後方に位置する第３の外壁面と、第３の外壁面の上端部から前方に突出し、外郭側壁の側面に交差する第３の庇部とをさらに備えていてもよい。
【発明の効果】
【００１４】
本発明によれば、透光性を有する窓部が設けられた箱状体が、地面から浮き上がっているように配置されている。したがって、外観において、軽快感を向上させることができる。
【図面の簡単な説明】
【００１５】
【図１】本発明の実施の形態に係る住宅の正面側の外観を示す図である。
【図２】本発明の実施の形態に係る住宅の１階の平面図である。
【図３】本発明の実施の形態に係る住宅の２階の平面図である。
【図４】本発明の実施の形態に係る住宅の３階の平面図である。
【図５】本発明の実施の形態に係る住宅の正面外壁の凹凸を模式的に示す図である。
【図６】本発明の実施の形態に係る住宅のエントランス空間を模式的に示す図である。
【図７】本発明の実施の形態の変形例に係る住宅の正面側の外観を示す図である。
【図８】本発明の実施の形態の変形例に係る住宅の各階の平面図である。
【発明を実施するための形態】
【００１６】
本発明の実施の形態について図面を参照しながら詳細に説明する。なお、図中同一または相当部分には同一符号を付してその説明は繰返さない。
【００１７】
（概略構成について）
はじめに、図１〜図４を参照して、本実施の形態に係る住宅１の概略構成について説明する。
【００１８】
図１には、正面側から見た住宅１の外観が示されている。住宅１の正面とは、外観上において象徴的な面（ファサード）を表わし、典型的には屋外の通路に面する。本実施の形態では、たとえば、玄関扉５０ａが設けられた外壁の表面側を正面側という。
【００１９】
住宅１は、たとえば、都市部など比較的狭小地に建てられる３階建ての建物である。本実施の形態の住宅１は、敷地の略全体に建てられており、住宅１の周囲に、専用の庭は存在しないと想定する。
【００２０】
図２〜図４には、住宅１の１〜３階それぞれの間取り例が示されている。各階の居住空間の構成は、たとえば次の通りである。図１および図２に示されるように、住宅１の１階には、玄関（土間）５０、玄関ホール５１、および居室５２が設けられている。玄関５０および玄関ホール５１は非居室である。図１および図３に示されるように、住宅１の２階には、居室としてのキッチン５３およびリビング５４、ならびに、非居室としてのパウダールーム５５などが設けられている。図１および図４に示されるように、住宅１の３階には、ベッドルーム等、４つの居室５６〜５９が設けられている。居住空間は、外壁に囲まれた建物本体の屋内に位置する空間であり、居室および非居室を含む。
【００２１】
本実施の形態に係る住宅１は、そのファサード、および、エントランス空間に特徴を有している。また、住宅１は、３階分の高さを有する半屋外吹抜け空間６３を備えている。これらの特徴点について、以下に詳細に説明する。
【００２２】
（ファサードについて）
正面から見た住宅１の外観について説明する。図１等において、住宅１の横方向を矢印Ａ１で示している。また、図２等において、住宅１の前後方向（奥行方向）のうち前方を矢印Ａ２で示している。なお、本実施の形態において、正面側を前方あるいは手前側ともいい、その反対側を奥側、背面側、あるいは後方ともいう。また、正面から見て右側が横方向一方側、左側が横方向他方側であるものとして説明する。
【００２３】
住宅１は、２階と３階との間に、水平方向に延在する偏平形状の庇部（第１の庇部）４１を有している。庇部４１は、厚みの大きいスラブ状の大型庇である。庇部４１は、正面外壁よりも両側方（横方向両側）に突出している。そのため、住宅１は、２階以下と３階とに分断されたような独創的なデザインとなっている。
【００２４】
住宅１の正面外壁は、庇部４１の下方に配置される外壁１１〜１３と、庇部４１の上方に配置される外壁１４，１５とで構成されている。
【００２５】
外壁１１は、２階分の高さを有しており、１階部分に玄関扉５０ａが設けられている。外壁１１の屋内側には、後述するように、玄関５０を含むエントランス空間が配置されている。外壁１１の表面は、住宅１の正面外壁の基準面であり、１階から２階まで段差なく連続している。以下、外壁１１の表面を、基準外壁面（第１の外壁面）２１という。外壁１１（基準外壁面２１）の２階部分には、透光性を有する窓部２１０が設けられている。窓部２１０は、たとえば開閉できないフィックス窓である。
【００２６】
外壁１２および外壁１３は、外壁１１の右隣に配置されている。外壁１２は、外壁１３よりも上方位置に配置されている。外壁１２の屋内側には、２階の居住空間（たとえばキッチン５３およびリビング５４）が配置されている。外壁１３の屋内側には、１階の居住空間（たとえば居室５２）が配置されている。
【００２７】
ここで、外壁１２の表面は、庇部４１から吊下げられるように設けられた箱状体３０の表面（正面）を構成している。以下、外壁１２の表面を、２階外壁面（第２の外壁面）２２という。２階外壁面２２は、基準外壁面２１よりも手前に位置している。図５には、前後方向における基準外壁面２１の位置がラインＬ１で示され、前後方向における２階外壁面２２の位置がラインＬ２で示されている。２階外壁面２２は、基準外壁面２１の位置から９０ｃｍ以上前方に張り出している。
【００２８】
箱状体３０は、２階外壁面２２と、地面から上方に離間して位置する底面３１とを含む。底面３１は、２階外壁面２２の下端部と直交（交差）する。なお、地面は、住宅１のグランドレベルよりも嵩上げされたコンクリートの上面であってもよい。
【００２９】
２階外壁面２２の横幅寸法は、基準外壁面２１の横幅寸法よりも十分に大きく、２倍以上であることが望ましい。外壁１２（２階外壁面２２）には、透光性を有する窓部２２０が設けられている。窓部２２０は、外壁１２の略全幅に亘って設けられている。窓部２２０は、たとえば、２階外壁面２２の横幅方向に沿って連続して設けられた複数の窓（すなわち連窓）によって構成されている。各窓は、開閉可能であってもよいし、開閉不能であってもよい。箱状体３０の具体的な構成例については、後述する。
【００３０】
外壁１３の表面は、箱状体３０の底面３１に直交している。以下、外壁１３の表面を１階外壁面（第４の外壁面）２３という。１階外壁面２３は、図５に示されるように、基準外壁面２１よりもさらに奥側の位置に配置されている。また、１階外壁面２３の横幅寸法は、２階外壁面２２の横幅寸法よりも小さい。外壁１３（１階外壁面２３）にも、透光性を有する窓部２３０が設けられている。窓部２３０は、たとえば掃出し窓である。
【００３１】
外壁１４は、庇部４１を挟んで、外壁１１の上に位置している。外壁１４の屋内側には、３階の居住空間（たとえば居室５７）が配置されている。図５に示されるように、前後方向における外壁１４の表面の位置は、基準外壁面２１と同じ位置であり、これらの面は、同一平面上に延在している。以下、外壁１４の表面を３階外壁面２４という。３階外壁面２４の横幅寸法は、基準外壁面２１の横幅寸法と略等しい。
【００３２】
外壁１５は、外壁１４の右隣であって、庇部４１を挟んで外壁１２の上方に位置している。外壁１５の屋内側には、３階の居住空間（たとえば居室５６）が配置されている。図５に示されるように、外壁１５の表面は、３階外壁面２４よりも手前に位置するが、２階外壁面２２よりも奥側に位置している。以下、外壁１５の表面を３階外壁面（第３の外壁面）２５という。３階外壁面２５の横幅寸法は、左横の３階外壁面２４の横幅寸法よりも若干大きいが、２階外壁面２２の横幅寸法よりも小さい。
【００３３】
外壁１４（３階外壁面２４）および外壁１５（３階外壁面２５）にも、透光性を有する窓部２４０，２５０がそれぞれ設けられている。外壁１４および外壁１５は、庇部４１上に設けられたバルコニー６８に面している。そのため、窓部２４０，２５０は、たとえば掃出し窓である。なお、本実施の形態において、バルコニーとは、床部を有する半屋外空間であり、ベランダを含む概念である。
【００３４】
住宅１は、正面側の外壁面の前後方向位置を異ならせているだけではなく、各外壁面に窓部を設けているため、開放的な明るい印象となっている。また、箱状体３０の表面である２階外壁面２２においては、その全幅に亘り、高さのある窓部２２０が設けられている。したがって、住宅１のファサードは、軽快なイメージとなっている。なお、窓部２２０は、２階外壁面２２の横方向（幅方向）端部との間に多少の隙間（たとえば１０ｃｍ以下）を有して配置されていてもよい。
【００３５】
ここで、２階外壁面２２は、基準外壁面２１と同様に平面状（フラット）である。そのため、箱状体３０は、２階外壁面２２および底面３１と交差する側面３２，３３をさらに有している。図３に示されるように、側面３２は、外壁１２の右端部に直交する外壁（右側壁）８１の表面を構成している。側面３３は、外壁１１の右端部と外壁１２の左端部とに直交する外壁８２の表面を構成している。
【００３６】
これらの外壁８１，８２にも、外壁１２の窓部２２０と同じ高さの窓部３２０，３３０が設けられている。つまり、箱状体３０においては、表面の窓部２２０および両側面の窓部３２０，３３０によって、平面視においてＵ字状（コの字状）の連窓が構成されている。そのため、外観上、箱状体３０は、浮いたガラスの箱のように見え、軽快感が向上されている。また、箱状体３０内の居住空間（リビング５４）が、正面側だけでなく奥の方まで光溢れる明るい空間になるとともに、箱状体３０内の居住空間においては、屋外の景色を２７０度見渡すことができる。
【００３７】
なお、２階外壁面２２は、平面状でなくてもよく、たとえば円弧状など湾曲していてもよい。このような場合、箱状体３０は、側面３２，３３を有していなくてもよい。
【００３８】
箱状体３０は、袖壁４３，４４によって下方から支持されている。袖壁４３，４４は、地面から箱状体３０の底面３１にまで上方に延在する支持体である。支持体は、柱であってもよい。袖壁４３は、１階外壁面２３よりも前方位置であって、箱状体３０の底面３１の右端部に接続されている。袖壁４４は、１階外壁面２３よりも前方位置であって、箱状体３０の底面３１の左端部に接続されている。袖壁４３，４４の厚みおよび横幅は同じであり、これらは互いに平行に配置されている。
【００３９】
袖壁４３，４４間には支持体がなく、袖壁４３，４４によって挟まれる箱状体３０の下方空間は、ピロティ空間６０となっている。ピロティ空間６０は、少なくとも正面側において屋外空間に向けて開放されている。ピロティ空間６０の一部は、インナーガレージとしての機能を果たしており、敷地を有効利用することができる。ピロティ空間６０は、一部分において、背面側にも抜けている。
【００４０】
袖壁４３，４４は、２階外壁面２２よりも少し奥側の位置に配置されている。また、袖壁４３，４４の色は、２階外壁面２２（および他の外壁面２１，２３〜２５）よりも暗色である。したがって、正面から住宅１を見た場合、箱状体３０が地面から浮き上がったような浮遊感を強調することができる。なお、色に限らず、袖壁４３，４４の外表面の素材を２階外壁面２２と異ならせていてもよい。
【００４１】
箱状体３０の表面には、窓部２２０として、同じ高さ寸法の縦長の窓が横一列に並べられている。窓部２２０の上端位置は、庇部４１の下面４１２に近接している。たとえば、窓部２２０の上端高さと庇部４１の下面高さ（外壁１２の上端高さ）との差が、１０ｃｍ以下である。これに対し、窓部２２０の下端位置は、外壁１２の下端位置から比較的大きく離れている。つまり、図１に示されるように、窓部２２０は、外壁１２において、上方に偏って設けられている。
【００４２】
ここで、窓部２２０の下端位置と２階外壁面２２の下端位置との間の高さ寸法Ｈ２は、庇部４１の厚み寸法Ｈ１と略等しいことが望ましい。具体的には、これらの寸法に差が無いか、あったとしても１０ｃｍ以下、あるいは、２割以下である。なお、庇部４１の厚み寸法とは、その前端面（正面）４１１の高さ寸法を表わすものとする。庇部４１の厚み寸法は、たとえば４０ｃｍ以上である。
【００４３】
住宅１は、さらに、３階外壁面２５の上端部から前方に突出する庇部（第２の庇部）４２を備えている。この庇部４２も、庇部４１と同様に偏平形状であり、その厚み寸法Ｈ３も、庇部４１の厚み寸法Ｈ１と略等しい。庇部４２は、３階外壁面２５の左右端部よりも両側方に突出しているが、庇部４２の横幅は、庇部４１よりも短い。庇部４２の前端面４２１の位置は、庇部４１の前端面４１１よりも奥である。住宅１の屋根は、典型的には陸屋根であり、本実施の形態における庇部４２は、陸屋根から部分的に突出した軒として構成されている。
【００４４】
このように、２階外壁面２２のうち窓部２２０がない下端部分の高さ寸法Ｈ２と、屋根付近の庇部４２の厚み寸法存Ｈ３とを、存在感のある庇部４１の厚み寸法Ｈ１と同等にすることで、外観において、軽快感を生じさせつつ、安定感のある落ち着いた印象も生じさせることができる。
【００４５】
庇部４１は、基準外壁面２１および２階外壁面２２の上端部から前方に突出しているが、図１に示されるように、庇部４１の前端面４１１は、左端部から右端部まで真直ぐに延びる平面状である。そのため、庇部４１の前方への突出寸法は、２階外壁面２２からの突出寸法よりも、基準外壁面２１からの突出寸法の方が十分に大きい。
【００４６】
そこで、庇部４１のうち、基準外壁面２１に交差する奥行きの大きい部分は、２階分の高さを有する袖壁４５によって、下方から支持されている。袖壁４５は、地面から庇部４１の下面４１２にまで上方に延びる支持体である。支持体は、柱であってもよい。袖壁４５は、箱状体３０下の袖壁４３，４４と平行に配置されている。袖壁４５の外表面の色または素材は、袖壁４３，４４と同じである。そのため、高さのある袖壁４５が設けられていても、違和感なく全体の雰囲気に馴染んでいる。袖壁４５の前端位置は、２階外壁面２２よりも手前に位置していてもよい。
【００４７】
袖壁４５は、庇部４１の左端部を支持し、箱状体３０の側面３３およびその下の袖壁４４から離れた位置に配置されている。これにより、基準外壁面２１の前方には、２階分の高さを有する屋外吹抜け空間６１が形成される。屋外吹抜け空間６１は、基準外壁面２１と、袖壁４５と、箱状体３０の側面３３および袖壁４４とによって、三方が囲まれた空間である。袖壁４５は、正面から見て玄関扉５０ａおよび窓部２１０とは重ならない位置に配置されている。袖壁４５は、基準外壁面２１から前方に離れて配置されていてもよい。
【００４８】
このように、住宅１の玄関前空間には、２階分の高さを有する袖壁４５が、外壁１１から独立して立設されており、この袖壁４５に隣接して屋外吹抜け空間６１が配置されている。したがって、住宅１の玄関前空間は、開放的な雰囲気とともに重厚感あるいは高級感が生じ、上質な暮らしを予感させることができる。また、袖壁４５は敷地境界に沿って配置されるため、袖壁４５によって隣地の居住者の視線を遮ることができる。
【００４９】
なお、屋外吹抜け空間６１は、上部が庇部４１で覆われ、かつ、基準外壁面２１と袖壁４５と箱状体３０の側面３３および袖壁４４とによって三方が囲まれた空間であることとしたが、限定的ではない。屋外吹抜け空間は、基準外壁面２１に面し、かつ、上部が庇部４１で覆われており、さらに、少なくともその左右一方側が壁面で区切られた空間であればよい。
【００５０】
（エントランス空間について）
住宅１のエントランス空間について説明する。
【００５１】
玄関扉５０ａが設けられた外壁１１の屋内側に位置するエントランス空間は、２階分の高さを有する吹抜け空間となっている。具体的には、図２および図３に示されるように、１階の玄関５０および玄関ホール５１とその上方空間とが、屋内吹抜け空間６２を形成している。つまり、屋内吹抜け空間６２は、玄関５０および玄関ホール５１の床面から２階天井面まで上方に延在し、住宅１のエントランス空間を構成している。このように、外壁１１は、屋外吹抜け空間６１と屋内吹抜け空間６２との間に位置しているため、住宅１の建物本体に入る前だけでなく入った後も、開放的な雰囲気を味わうことができる。
【００５２】
図６には、正面側から見た屋外吹抜け空間６１と、外壁１１の奥に広がる屋内吹抜け空間６２とが概念的に示されている。なお、図６には、理解の容易のために、外壁１１から玄関扉５０ａおよび窓部２１０が取り除かれた状態が示されている。
【００５３】
図６に示されるように、屋内吹抜け空間６２の天井面６２２と、屋外吹抜け空間６１の天井面としての庇部４１の下面４１２とは、略面一である。具体的には、これらの面の高さに差が無いか、あったとしても１０ｃｍ以下である。これにより、屋外吹抜け空間６１と屋内吹抜け空間６２との間に一体感が生じる。
【００５４】
また、屋内吹抜け空間６２の天井面６２２と庇部４１の下面４１２とは、視覚的に一続きとなるように、屋内吹抜け空間６２の天井面６２２の色または柄は、庇部４１の下面４１２の色または柄と連続していることが望ましい。典型的には、これらの面の色は同一であり、これらの面を構成する柄（たとえば木目）が同じ規則性を持って連続的に表れている。本実施の形態では、庇部４１の下面４１２および屋内吹抜け空間６２の天井面６２２の柄は、所定幅の板の継ぎ目が屋外側から屋内側へ向かって真っすぐ延びるように形成されている。なお、これらの面の素材は異なっていてもよい。
【００５５】
さらに、図１および図６に示されるように、外壁１１の窓部２１０の上端位置は、庇部４１の下面４１２に近接している。たとえば、窓部２１０の上端高さと庇部４１の下面高さ（外壁１１の上端高さ）との差が、１０ｃｍ以下である。窓部２１０は、たとえば大型のフィックス窓によって構成される。したがって、屋外吹抜け空間６１側から住宅１を見た場合、この窓部２１０を通して屋内吹抜け空間６２への拡がりが期待でき、贅沢な雰囲気を演出することができる。
【００５６】
ここで、図２、図３、および図６に示されるように、屋内吹抜け空間６２には、１階の居住空間と２階の居住空間との間の移動のために階段７１が配置されている。階段７１は、屋内吹抜け空間６２の床面６２１（玄関ホール５１の床面）から、渡り廊下７２へと繋がっている。つまり、階段７１の上り口は玄関ホール５１に設けられ、階段７１の下り口は渡り廊下７２に設けられている。階段７１は、たとえば直線状であり、外壁１１の左端部に直交する外壁（左側壁）８３に沿って配置されている。
【００５７】
図３および図６に示されるように、渡り廊下７２は、屋内吹抜け空間６２を横切るように、外壁１１に沿って配置されている。渡り廊下７２の一方の端部は、外壁（左側壁）８３に接続され、渡り廊下７２の他方の端部は、２階の居住空間（たとえばリビング５４）の床部に接続されている。
【００５８】
また、階段７１は、渡り廊下７２の一方の端部側に接続されている。より具体的には、階段７１の下り口は、渡り廊下７２の両側部のうち、奥側の側部７２ａに設けられている。渡り廊下７２は、外壁１１から離間して配置されていることが望ましい。この場合、渡り廊下７２の手前側の側部７２ｂには、たとえば、落下を防止するための手摺が設けられる。
【００５９】
このように、渡り廊下７２は、玄関５０または玄関ホール５１上であって、外壁１１に設けられた窓部２１０の奥に配置されている。そのため、居住者が渡り廊下７２に立つと、窓部２１０を介して、外壁１１の向こうにある屋外吹抜け空間６１全体を眺めることができる。
【００６０】
本実施の形態の階段７１は、直線状であり、玄関ホール５１の奥から手前に向かって上り切る形状となっている。また、外壁１１の窓部２１０が、階段７１の上り切り方向の延長線上に配置されている。そのため、階段７１を上っている途中から、外壁１１の窓部２１０を通して空（屋外吹抜け空間６１の上方部分）が見える。また、階段７１を上り切ると、窓部２１０越しに屋外吹抜け空間６１全体を自然と望むことができ、ゆったりとした気分を味わうことができる。
【００６１】
さらに、外壁１１の窓部２１０は、屋内吹抜け空間６２の天井面６２２（つまり、庇部４１の下面４１２）付近にまで上方に延在しており、屋内吹抜け空間６２の天井面６２２と庇部４１の下面４１２とが一体感を有している。そのため、階段７１を上り切って渡り廊下７２に立つと、屋内吹抜け空間６２の天井面６２２が窓部２１０を超えて屋外にまで延出しているように見え、居住者は屋内（居住空間）においても開放感を得ることができる。
【００６２】
なお、階段７１は、直線状でなくてもよく、たとえば折返し階段などであってもよい。その場合であっても、階段７１の上り切り方向の延長線上に窓部２１０が配置されていることが望ましい。具体的には、階段７１の下り口は、渡り廊下７２の奥側の側部７２ａに設けられていることが望ましい。言い換えると、１階の玄関ホール５１（屋内吹抜け空間６２の床）から階段７１を上り切ると、窓部２１０（外壁１１）側に視線が向く位置に、渡り廊下７２が配置されていることが望ましい。
【００６３】
また、階段７１は渡り廊下７２に接続されていることとしたが、限定的ではない。すなわち、階段７１を上り切った場所で窓部２１０を望めることができれば、階段７１の下り口のある２階の床面は、渡り廊下７２の床面でなくてもよい。
【００６４】
また、本実施の形態では、階段７１の下り口の先に（すなわち、階段７１の上り切り方向の延長線上に）窓部２１０が配置されている構成を示したが、階段７１を上り切った所に窓部２１０が位置していればよく、たとえば、階段７１の下り口の横に窓部２１０が配置されていてもよい。
【００６５】
（半屋外吹抜け空間について）
住宅１が備える半屋外吹抜け空間６３について説明する。
【００６６】
図１〜図４に示されるように、半屋外吹抜け空間６３は、複数階に亘って上下方向に延在し、上部が屋外空間（空）に向けて開放された吹抜け空間である。
【００６７】
半屋外吹抜け空間６３は、地面から３階部分にまで上下方向に延在する外郭側壁４６に隣接して配置されている。外郭側壁４６は、半屋外吹抜け空間６３の右側に位置し、住宅１の敷地境界に沿って設けられている。また、外郭側壁４６は、住宅１の背面側の端部に配置されている。外郭側壁４６は、屋外空間から見た場合、屋根付近の庇部４２の高さまで上方に延在している。
【００６８】
外郭側壁４６は、２階正面の外壁１２よりも奥側に配置されており、正面側から見て外壁１２によって隠されている。具体的には、図３を参照して、外郭側壁４６は、外壁１２に平行な外壁８４に直交するように配置されている。外壁８４は、箱状体３０を構成する２階右側面の外壁８１に直交している。また、外郭側壁４６は、箱状体３０を支持する袖壁４３と平面視において同一ライン上に（前後方向に沿って）配置されており、外郭側壁４６の外表面の色または素材は、袖壁４３と同じであってもよい。
【００６９】
外郭側壁４６は、１〜３階それぞれにおいて、半屋外吹抜け空間６３を挟み、建物本体の外壁８５，８６，８７に対面している。すなわち、半屋外吹抜け空間６３は、１階の外壁８５に面する１階空間６３ａと、２階の外壁８６に面する２階空間６３ｂと、３階の外壁８７に面するおよび３階空間６３ｃとで構成されている。
【００７０】
図２を参照して、１階の外壁８５は、１階の正面外壁１３と、背面の外壁とに直交している。１階の外壁８５と外郭側壁４６とで挟まれた空間のうち、前方側の部分に半屋外吹抜け空間６３の１階空間６３ａが形成されており、残りの部分に、１階テラス部６４が設けられている。そのため、半屋外吹抜け空間６３の１階空間６３ａは、前方側および後方側の双方において、屋外空間に向けて開放されている。なお、１階テラス部６４は、後述する２階バルコニー６５の床部の下方に位置する空間である。１階テラス部６４と半屋外空間６３の１階空間６３ａとで、１階庭空間が形成されている。
【００７１】
具体的には、半屋外吹抜け空間６３の１階空間６３ａの前方には、箱状体３０下のピロティ空間６０が仕切りなく配置され、１階空間６３ａの後方には、１階テラス部６４が仕切りなく配置されている。図２に示されるように、１階の外壁８５には、少なくとも半屋外吹抜け空間６３の１階空間６３ａに面する位置に、透光性を有する窓部８５０（たとえば掃出し窓）が設けられている。
【００７２】
住宅１の１階をこのような構成とすることにより、１階テラス部６４も、ピロティ空間６０の一部のように見せることができる。また、ピロティ空間６０においてその天井面（箱状体３０の底面３１を含む）を見た場合、天井面が一部、刳り貫かれたような斬新な構成となっている。
【００７３】
図３を参照して、２階の外壁８６は、上述の外壁８４と、背面の外壁とに直交している。２階の外壁８６と外郭側壁４６とで挟まれた空間のうち、後壁８４側の部分に半屋外吹抜け空間６３の２階空間６３ｂが形成されており、残りの部分に、２階バルコニー６５が設けられている。つまり、半屋外吹抜け空間６３の２階空間６３ｂは、後方側において屋外空間に向けて開放されている。
【００７４】
２階の外壁８６は、半屋外吹抜け空間６３に面する位置に窓部８６０ａ（たとえばフィックス窓）を有し、２階バルコニー６５に面する位置に窓部８６０ｂ（掃出し窓）を有している。２階バルコニー６５は、後述する３階バルコニー６７の床部の下方に位置している。つまり、３階バルコニー６７の床部が２階バルコニー６５の屋根となっている。
【００７５】
図４を参照して、３階の外壁８７は、上述の正面外壁１５と、背面の外壁とに直交している。３階の外壁８７と外郭側壁４６とで挟まれた空間のうち、中央部に半屋外吹抜け空間６３の３階空間６３ｃが形成されており、残りの部分（前方部分および後方部分）に３階バルコニー６６，６７が設けられている。つまり、半屋外吹抜け空間６３の３階空間６３ｃは、前方側および後方側の双方において、屋外空間に向けて開放されている。
【００７６】
外郭側壁４６の横幅（住宅１の前後方向の長さ寸法）は、３階部においてのみ他よりも大きくなっている。外郭側壁４６の３階部における正面側への延長部分４６ａが、側方にまで回り込んだ庇部４１の上面４１３上に立設されている。正面側の３階バルコニー６６は、この延長部分４６ａに面している。
【００７７】
３階の外壁８７は、半屋外吹抜け空間６３に面する位置に窓部８７０ａ（たとえばフィックス窓）を有し、正面側の３階バルコニー６６に面する位置に窓部８７０ｂ（掃出し窓）を有し、背面側の３階バルコニー６７に面する位置に窓部８７０ｃ（掃出し窓）を有している。
【００７８】
半屋外吹抜け空間６３に隣接する２階および３階のバルコニー６５〜６７の床面は、それぞれ、外壁８６，８７に隣接する２階および３階の居住空間の床面と略面一となっている。したがって、外壁８６，８７を基準とした屋内外において床が連続しているような一体感が生じ、居住空間を開放感のある広い空間のように印象付けることができる。
【００７９】
上記のように、半屋外吹抜け空間６３は、横方向において外壁８５〜８７と外郭側壁４６との間に形成されている。また、２階および３階に、半屋外吹抜け空間６３の後方側に隣接するバルコニー６５，６７がそれぞれ配置され、３階に半屋外吹抜け空間６３の正面側に隣接するバルコニー６６が配置されている。そのため、半屋外吹抜け空間６３は、各階の境界部において、周囲が壁部で囲まれている。たとえば、１階と２階の境界部（２階の下端部）においては、半屋外吹抜け空間６３は、右側の外郭側壁４６、手前の外壁８４、左側の外壁８６、および奥側の２階バルコニー６５の床部側壁によって、四周が囲まれている。なお、半屋外吹抜け空間６３は、高さ方向（上下方向）における少なくとも一部が、壁部に囲まれていてればよい。
【００８０】
半屋外吹抜け空間６３に面する各階の外壁８５〜８７には、透光性を有する窓部がそれぞれ設けられている。上述のように、半屋外吹抜け空間６３は屋根がないため、半屋外吹抜け空間６３に射し込まれた光は、窓部８５０，８６０ａ，８７０ａを介してそれぞれの階の居住空間にまで採り入れられる。また、これらの窓部自体が開閉可能であるか、あるいは、その隣の窓部が開閉可能であるため、都市においても、光、風、空を身近に感じることができる。
【００８１】
たとえば、半屋外吹抜け空間６３に樹木７３が植えられている場合、１階の外壁８５に隣接する居住空間（居室５２）において、樹木７３の幹を望むことができる。そのため、外壁８５際の居住空間を、余暇を愉しめる落ち着いた居場所とすることができる。また、２階の外壁８６に隣接する居住空間（リビング５４等）においては、樹木７３の葉によって光や風の揺らぎを感じることができる。したがって、外壁８６際の居住空間を、家族と集う心地良い居場所とすることができる。また、３階の外壁８７に隣接する居住空間（居室５６，５９等）において、空に延びる樹木７３の息吹を感じることができる。そのため、外壁８７際の居住空間を、リラックスできる爽快な居場所とすることができる。
【００８２】
また、窓部８５０，８６０ａ，８７０ａに対面する位置に外郭側壁４６が設けられているため、隣人の視線を気にすることなく半屋外吹抜け空間６３に設けた樹木７３を鑑賞することができる。また、外郭側壁４６に現れる外壁８５〜８７の陰影により、半屋外吹抜け空間６３の情景をより身近に感じることができる。
【００８３】
このように、本実施の形態の住宅１によれば、家族は様々な角度から自然を愉しみ、互いに気配を感じながら暮らすことができる。つまり、１階から３階まで上下方向に延在する半屋外吹抜け空間６３と、各階において前後方向のうち少なくともいずれか一方に、屋外空間に繋がる半屋外空間（ピロティ空間６０、１階テラス部６４、バルコニー６５〜６８）が隣接して配置されている。そのため、半屋外吹抜け空間６３とこれら半屋外空間とが、各階において自然と家族とをつなぐ立体庭園として位置付けられている。
【００８４】
さらに、半屋外吹抜け空間６３の１階空間６３ａおよび３階空間６３ｃは、前後方向双方において屋外空間に向けて開放されているのに対し、２階空間６３ｂは後方側のみ屋外空間に向けて開放されている。すなわち、屋外吹抜け空間６３の２階空間６３ｂは、正面外壁１２に隣接して配置される居住空間（たとえばキッチン５３）よりも奥側に配置されている。したがって、正面から住宅１を見た場合に、半屋外吹抜け空間６３の２階空間６３ｂは正面外壁１２（箱状体３０）によって隠されるため、半屋外吹抜け空間６３の存在が目立たず、バランスのよい外観となっている。
【００８５】
また、半屋外吹抜け空間６３に背の高い樹木７３を設けている場合には、樹木７３の幹は正面から見えるため、樹木７３が住宅１の２階の居住空間を突き抜けているような、面白味のある雰囲気を演出することができる。なお、半屋外吹抜け空間６３の１階空間６３ａは、少なくとも正面側が屋外空間に向けて開放されていればよく、背面側には外壁が配置されていてもよい。
【００８６】
さらに、正面側の庇部４２は、正面側の３階バルコニー６７を超えて外郭側壁４６よりも側方に突出している。つまり、庇部４２は、バルコニー６７の上方空間を一部覆っていてもよい。また、庇部４２は、外郭側壁４６の上端部から側方に向けて突出する側面側の庇部４７と一体的に連結されている。そのため、正面から見た場合に、３階上部に配置されたＬ字状の庇部４２，４７によって、半屋外吹抜け空間６３の３階空間６３ｃの存在感も抑えられている。また、３階上部の庇部４２，４７をこのように配置することで、箱状体３０上の存在感のある庇部４１とのバランスも良い。したがって、本実施の形態の住宅１によれば、軽快さと重厚感とを両立させることができる。
【００８７】
（変形例）
上記住宅１は、ファサードの特徴として、箱状体３０が、庇部４１に吊下げられるように設けられていたが、限定的ではない。つまり、箱状体３０の直上に庇部４１が配置されていなくてもよい。図７は、本実施の形態の変形例に係る住宅１Ａの正面側の外観を示す図である。図８は、住宅１Ａの各階の平面図である。図８においては、前後方向における箱状体３０Ａの正面（２階外壁面）の位置が想像線で示されている。
【００８８】
住宅１Ａは、図１等に示した住宅１と同様に３階建てであるが、箱状体３０Ａ上の庇部４１はなく、屋根付近に大型の庇部４７が１つ設けられているだけである。箱状体３０Ａの正面の外壁１２Ａは、庇部と交差しておらず、箱状体３０Ａの上に３階のバルコニー９５が設けられている。
【００８９】
また、変形例においては、住宅１Ａの左端に、敷地境界に沿って、３階分以上の高さを有する外郭側壁４６Ａが立設されている。すなわち、外郭側壁４６Ａは、玄関扉５０ａが設けられた外壁１１Ａに交差して配置されている。外郭側壁４６Ａの高さは、住宅１Ａの建物本体の屋根高さよりも高く、庇部４７が外郭側壁４６Ａに突き当たるように、両者が直交している。
【００９０】
また、箱状体３０Ａの下には、底面３１の右端部側に接続される袖壁４３が配置されているが、底面３１の左端部側に接続される袖壁は配置されていない。その代わりに、箱状体３０Ａの左側面を構成する外壁８２Ａから左方向に延びる胴差９２が、外郭側壁４６Ａに接続されている。つまり、外壁８２Ａと外郭側壁４６Ａとの間に、胴差９２が架け渡されている。より具体的には、２階床を支持する胴差９２と、３階床を支持する胴差９２とが、外壁８２Ａと外郭側壁４６Ａとの間の空間９０を横切るように配置されている。
【００９１】
これらの胴差９２は、縦格子９１によって隠されている。縦格子９１は、下側の胴差９２の下端から上側の胴差９２の上端にまで上方に延びており、側壁８２Ａと外郭側壁４６Ａとの間の空間９０を覆っている。なお、図１に示した住宅１に備えられた屋外吹抜け空間６１は、その前方を胴差が横切る構成ではないため、住宅１の玄関前空間は、住宅１Ａの玄関前空間よりも明るく開放的である。
【００９２】
本変形例においては、玄関扉５０ａが設けられた外壁１１Ａは１階分の高さしかなく、外壁１１Ａの上に２階のバルコニー９３の床部が配置される例を示しているが、上記実施形態の住宅１と同様に、玄関扉５０ａが設けられた外壁１１Ａは、１階から２階まで連続して設けられていてもよい。
【００９３】
また、２階のバルコニー９３および３階のバルコニー９４の奥側に、上部が屋外空間に開放された半屋外吹抜け空間６３Ａが配置されていることとしたが、上記実施の形態の住宅１と同様に、半屋外吹抜け空間６３Ａは、正面外壁に隣接して配置される居住空間よりも奥側に配置されていてもよい。
【００９４】
以上説明した本実施の形態およびその変形例によれば、プライバシーを確保しながら、建物内の居住空間において自然を身近に感じることができる。また、軽快感と重厚感とを兼ね備えたモダンかつ独創的な外観となっている。そのため、都市部においても、余暇を愉しむ贅沢な住まいを提供することができる。
【００９５】
なお、住宅１（１Ａ）は、３階建てであることとしたが、複数階建てであればよく、たとえば、２階建または４階建であってもよい。この場合、箱状体３０が設けられる階（特定階）は、地上階（１階）よりも上の階であれば、２階でなくてもよい。いずれの場合であっても、外郭側壁４６および半屋外吹抜け空間６３は、地上階（１階）から最上階まで延在していることが望ましい。
【００９６】
また、基準外壁面２１（外壁１１）を住宅１の正面側として説明したが、限定的ではない。つまり、図１に示した住宅１の外観は、たとえば、住宅１の側面の外観であってもよい。具体的には、図１に示した基準の外壁１１に玄関扉５０ａが設けられていなくてもよく、その場合、上述の外壁面２１〜２５は、同じ方向を向いていればよい。
【００９７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９８】
１，１Ａ  住宅、３０，３０Ａ  箱状体、１１〜１５，８１〜８７，１１Ａ，１２Ａ，８２Ａ  外壁、２１〜２５  外壁面、２１０，２２０，２３０，２４０，２５０，３２０，３３０，８５０，８６０ａ，８６０ｂ，８７０ａ，８７０ｂ，８７０ｃ  窓部、２１  基準外壁面、２２  ２階外壁面、２３  １階外壁面、２４，２５  ３階外壁面、３１  底面、３２，３３  側面、４１，４２，４３，４７  庇部、４３，４４，４５  袖壁、４６，４６Ａ  外郭側壁、５０  玄関、５０ａ  玄関扉、５１  玄関ホール、５２，５３，５６〜５９  居室、５３  キッチン、５４  リビング、５５  パウダールーム、６０  ピロティ空間、６１  屋外吹抜け空間、６２  屋内吹抜け空間、６３  半屋外吹抜け空間、６４  １階テラス部、６５〜６８，９３〜９５  バルコニー、７１  階段、７２  渡り廊下、７３  樹木、９１  縦格子、９２  胴差。
【図１】
2017115522.tif 000003
【図２】
2017115522.tif 000004
【図３】
2017115522.tif 000005
【図４】
2017115522.tif 000006
【図５】
2017115522.tif 000007
【図６】
2017115522.tif 000008
【図７】
2017115522.tif 000009
【図８】
2017115522.tif 000010